(57)【要約】【課題】地域住民の安心・安全を確保することの可能な樹木管理装置、樹木管理プログラムおよび樹木管理方法を提供する。【解決手段】樹木管理者１ａの型枠管理装置１Ａは、樹木管理情報２０を樹木２ごとに記憶する樹木データベース１１Ａ−２および樹木管理プログラム１１Ａ−２を備える。この型枠管理装置１Ａでは、制御部１０Ａにより、樹木データベース１１Ａ−２に記憶された樹木管理情報２０に基づいて作業指示情報３１が生成され、通信部１２Ａにより、作業指示情報３１が電子タグ３へのアクセスが可能な端末装置１Ｂへ送信される。【選択図】図１
2007105030.tif 000002
【特許請求の範囲】
【請求項１】
記憶媒体の付された各種樹木に関する樹木管理情報を前記樹木ごとに記憶するデータベースと、
前記データベースに記憶された樹木管理情報に基づいて作業指示情報を生成する作業指示情報生成手段と、
前記作業指示情報生成手段が生成した作業指示情報を、前記記憶媒体へのアクセスが可能な端末装置へ送信する送信手段と
を備えたことを特徴とする樹木管理装置。
【請求項２】
前記樹木管理情報は、識別子と、樹種、樹生地および育成状況を示す情報とを含む
ことを特徴とする請求項１に記載の樹木管理装置。
【請求項３】
前記作業指示情報は、前記樹種、樹生地および育成状況を示す情報とに基づいて生成される
ことを特徴とする請求項２に記載の樹木管理装置。
【請求項４】
前記作業指示情報は、通常作業指示情報および点検作業指示情報を含む
ことを特徴とする請求項２に記載の樹木管理装置。
【請求項５】
前記育成状況は、樹齢と、幹周りと、樹高と、樹冠と、不良内容とを示す情報を含む
ことを特徴とする請求項２に記載の樹木管理装置。
【請求項６】
前記作業指示情報に基づいて更新された育成状況を示す情報を前記端末装置から受信する受信手段と、
前記受信手段が受信した育成状況を示す情報と、その育成状況を示す情報に対応する樹木の樹種および樹生地とに基づいて危険度を判定する危険判定手段と
をさらに備え、
前記作業指示情報生成手段は、前記危険判定手段によって判定された危険度の高さに応じた作業指示情報を生成し、
前記送信手段は、前記作業指示情報生成手段が生成した作業指示情報を、前記端末装置へ送信する
ことを特徴とする請求項２に記載の樹木管理装置。
【請求項７】
前記記憶媒体は、幹に固定されている
ことを特徴とする請求項１に記載の樹木管理装置。
【請求項８】
前記記憶媒体は、当該記憶媒体の付された樹木に関する樹木管理情報を記憶する電子タグおよび当該記憶媒体の付された樹木に関する樹木管理情報の保管場所を示す情報を記憶する２次元コードの少なくとも一方である
ことを特徴とする請求項１に記載の樹木管理装置。
【請求項９】
記憶媒体の付された各種樹木に関する樹木管理情報を前記樹木ごとにデータベースに記憶させるステップと、
前記データベースに記憶された樹木管理情報に基づいて作業指示情報を生成するステップと、
その生成された作業指示情報を、前記記憶媒体へのアクセスが可能な端末装置へ送信するステップと
をコンピュータに実行させることを特徴とする樹木管理プログラム。
【請求項１０】
記憶媒体の付された各種樹木に関する樹木管理情報を格納するためのデータベースを有する樹木管理装置と、前記各種樹木にそれぞれ付された記憶媒体へのアクセスが可能な端末装置とを用意し、
前記樹木管理装置において、
前記樹木管理情報を前記樹木ごとにデータベースに記憶し、
前記データベースに記憶された樹木管理情報に基づいて作業指示情報を生成し、
その生成された作業指示情報を前記端末装置へ送信し、
前記端末装置において、
前記樹木管理装置から送信された作業指示情報を受信し、
その作業指示情報を出力する
ことを特徴とする樹木管理方法。
【発明の詳細な説明】
【技術分野】
【０００１】
本発明は、団地や、公園、公共施設、道路脇などに植えられた樹木や、郊外および山間部で集団的に生育している樹木（例えば森林）を管理するための樹木管理装置および樹木管理プログラム、ならびにそのような樹木管理装置および樹木管理プログラムを用いて樹木を管理する樹木管理方法に関する。
【背景技術】
【０００２】
今年、京都議定書が発効したのを受け、地球温暖化防止等の地球環境に配慮した地域活動が活発化している。例えば、都市部では、地球規模の気温の上昇だけでなく、ヒートアイランド現象による気温の上昇が深刻化していることから、光合成による二酸化炭素の吸収や、遮光や水蒸気の発生による気温上昇の抑制などの樹木の公益的な機能に着目して、団地や、公園、公共施設、道路脇などに、植樹が積極的に行われている。
【０００３】
このような場所への植樹は、主に、地方自治体および所轄官庁や、これらから委託された財団法人およびＮＰＯ、自治会などの社団などによって行われており、植えられた樹木の管理もこれらの者によって行われている。ここで、樹木の管理とは、一般に固定資産としての管理を指しており、固定資産の管理に必要な情報は、これらの者により管理されている書類やパソコンなどに保管されているのが一般的である（特許文献１）。
【０００４】
【特許文献１】特開２００５−２０２５０１号公報
【発明の開示】
【発明が解決しようとする課題】
【０００５】
ところで、都市部では、従来から、発電所や、自動車等による化石燃料の燃焼により生じた硫黄酸化物が大気中で硫酸となり、酸性雨となって土壌を汚染しているため、樹齢が若くても根の弱っている樹木が多数見受けられる。また、樹木の管理が適切になされていないために、樹冠が広がり過ぎたり、虫に食われて朽ちかけている樹木も多数存在する。しかし、樹木を管理する者は、樹木を固定資産としてしか考えておらず、上記のような実態を正確には把握していないため、そのような樹木は何らの手当てもなされずに放置されている。そのため、近年多発している集中豪雨や台風、地震などにより、街路樹などがいとも簡単に倒壊するケースが相次いでおり、地域の住民はそのような災害が発生して初めて、そのような実態を知ることとなる。また、郊外や山間部でも、林業経営の悪化や高齢化による熟練技術者の減少などによって、森林の管理が行き届かなくなってきている。そのため、都市部と同様、樹齢が若くても根の弱っている樹木や、樹冠が広がり過ぎたり、虫に食われて朽ちかけている樹木が多数存在しており、森林における地面の保水能力が年々低下してきている。その結果、集中豪雨や台風、地震などにより、がけ崩れや、地滑り、土石流などの土砂災害に巻き込まれるケースが頻発している。
【０００６】
このように、樹木の管理が適切に行われていないために、地域の住民は常に危険にさらされており、不安な生活を強いられているという問題がある。
【０００７】
本発明はかかる問題点に鑑みてなされたもので、その目的は、地域住民の安心・安全を確保することの可能な樹木管理装置、樹木管理プログラムおよび樹木管理方法を提供することにある。
【課題を解決するための手段】
【０００８】
本発明の樹木管理装置は、記憶媒体の付された各種樹木に関する樹木管理情報を樹木ごとに記憶するデータベースと、データベースに記憶された樹木管理情報に基づいて作業指示情報を生成する作業指示情報生成手段と、作業指示情報生成手段が生成した作業指示情報を、記憶媒体へのアクセスが可能な端末装置へ送信する送信手段とを備えたものである。
【０００９】
本発明の樹木管理プログラムは、記憶媒体の付された各種樹木に関する樹木管理情報を樹木ごとにデータベースに記憶させるステップと、データベースに記憶された樹木管理情報に基づいて作業指示情報を生成するステップと、その生成された作業指示情報を、記憶媒体へのアクセスが可能な端末装置へ送信するステップとをコンピュータに実行させるようにしたものである。
【００１０】
本発明の樹木管理方法は、記憶媒体の付された各種樹木に関する樹木管理情報を格納するためのデータベースを有する樹木管理装置と、各種樹木にそれぞれ付された記憶媒体へのアクセスが可能な端末装置とを用意し、樹木管理装置から端末装置に作業指示情報を送信するように構成したものである。樹木管理装置の側では、前記樹木管理情報を樹木ごとにデータベースに記憶し、データベースに記憶された樹木管理情報に基づいて作業指示情報を生成すると共に、その生成された作業指示情報を端末装置へ送信する。一方、端末装置の側では、樹木管理装置から送信された作業指示情報を受信し、その受信した作業指示情報を出力する。
【００１１】
ここで、「樹木」とは、いわゆる立木のことであり、例えば、団地や、公園、公共施設、道路脇などに植樹された立木や、郊外および山間部で集団的に生育している立木（例えば森林）など、人による管理の必要な立木を指している。「記憶媒体」とは、例えば、電子タグや、２次元コードなどの、樹木の幹などに付することの可能な小さな記録媒体のことである。「電子タグ」は、ＲＦＩＤ（Radio Frequency Identification）タグや、ＩＣ（Integrated Circuit）タグなどの総称であり、「２次元コード」は、文字や数字などのデータを二次元の図形パターンとして所定の表面に刻印・印刷した暗号である。「端末装置」とは、例えば、各種樹木を取り扱う業者（樹木取扱業者）の保有する情報処理装置のことである。「樹木管理情報」とは、各種樹木の特徴を特定することの可能な情報、例えば、識別子と、樹種、樹生地および育成状況を示す情報とを含むものである。「作業指示情報」とは、例えば、樹種、樹生地および育成状況を示す情報に基づいて生成されるものであり、例えば、通常作業指示情報および点検作業指示情報を含むものである。
【００１２】
「育成状況」とは、各種樹木の生育状態を特定することの可能な情報、例えば、樹齢と、幹周りと、樹高と、樹冠と、不良内容とを示す情報を含むものである。「不良内容」とは、例えば、根が弱っているとか、樹冠が広がり過ぎているとか、虫に食われて朽ちかけているなど、樹木の不健全な態様を説明したものである。「通常作業指示情報」とは、樹木を健全に保つために通常行われる定型作業に関する情報、例えば、水やりや、枝打ち、肥料の供給などの作業に関する情報のことである。「点検作業指示情報」とは、樹木に不健全な箇所がないか確かめるための定型作業に関する情報、例えば、根腐れの有無の確認や、幹周り，樹高、および樹冠の計測、虫食いの有無の確認などの作業に関する情報のことである。
【００１３】
本発明の樹木管理装置、樹木管理プログラムおよび樹木管理方法では、各種樹木の樹木管理情報の管理が樹木管理装置のデータベースを用いて行われる。具体的には、データベースに記憶された樹木管理情報に基づいて作業指示情報が生成され、その生成された作業指示情報が端末装置へ送信される。
【００１４】
例えば、樹木管理装置では、樹種、樹生地および育成状況を示す情報とに基づいて個々の樹木に対して行うべき作業内容が決定され、その決定された作業内容は作業指示情報として端末装置へ送信され、端末装置に出力される。樹木取扱業者は、例えば、この出力された作業指示情報を基に個々の樹木の手入れや検査などを行う。このように、樹木取扱業者は、樹木管理装置からの作業指示情報に基づいて作業を行う。
【発明の効果】
【００１５】
本発明の樹木管理装置、樹木管理プログラムおよび樹木管理方法によれば、各種樹木の樹木管理情報の管理を樹木管理装置のデータベースを用いて行うようにしたので、樹木取扱業者は樹木管理情報から送信されてきた作業指示情報に基づいて作業を行うことができる。これにより、樹木の管理を適切に行うことが可能となるので、例えば、根が弱っていたり、虫に食われたりして、いまにも倒れそうになっている樹木や、樹冠が広がりすぎて台風などの強風に煽られて倒壊する虞のある樹木など、地域の住民に危険を及ぼす虞のある樹木を、災害が発生するまで何もせずにそのまま放置することをなくすることが可能となる。その結果、地域の住民に危険が及ぶ虞がなくなり、地域の住民が不安な気持ちで生活を送ることもなくなるので、地域住民の安心・安全を確保することが可能となる。
【発明を実施するための最良の形態】
【００１６】
以下、本発明の実施の形態について、図面を参照して詳細に説明する。
【００１７】
図１は、本発明の一実施の形態に係る樹木管理方法（樹木管理方法）が適用される樹木管理システムを表すものである。この樹木管理システムは、樹木管理者１ａによって使用される樹木管理装置１Ａと、樹木取扱業者１ｂによって使用される端末装置１Ｂとを含む情報ネットワークシステムとして構築されたものである。
【００１８】
樹木管理者１ａは、この樹木管理システムに参加している各樹木取扱業者１ｂをとりまとめると共に、樹木２の手入れから検査、補修までの業務を樹木管理装置１Ａを用いて一元的に管理する管理者のことである。ここで、樹木２とは、団地や、公園、公共施設、道路脇などに植樹された立木や、郊外および山間部で集団的に生育している立木（例えば森林）など、人による管理の必要な立木のことであり、例えば、楠、けやき、檜などの中高木のことを指している。樹木取扱業者１ｂは、樹木管理者１ａからの指示に基づいて、樹木２を健全に保つために通常行われる定型作業、例えば、水やりや、枝打ち、肥料の供給などの作業のほか、樹木に不健全な箇所がないか確かめるための定型作業、例えば、根腐れや幹の内部の腐りの有無の確認や、幹周り，樹高、および樹冠の計測、外傷や虫食いの有無の確認などの作業などを行う業者のことである。
【００１９】
図２は、樹木管理装置１Ａの機能構成を表すものである。この樹木管理装置１Ａは、制御部１０Ａと、記憶部１１Ａと、通信部１２Ａと、表示部１３Ａと、入力部１４Ａとを備えている。制御部１０Ａは、記憶部１１Ａ、通信部１２Ａ、表示部１３Ａおよび入力部１４Ａとそれぞれ接続されている。
【００２０】
なお、通信部１２Ａは本発明の「送信手段」あるいは「受信手段」の一具体例に対応し、制御部１０Ａは本発明の「作業指示情報生成手段」あるいは「危険判定手段」の一具体例に対応する。
【００２１】
図３は、端末装置１Ｂの機能構成を表すものである。この端末装置１Ｂは、制御部１０Ｂと、記憶部１１Ｂと、通信部１２Ｂと、表示部１３Ｂと、入力部１４Ｂと、読出部１５Ｂと、書込部１６Ｂとを備えている。制御部１０Ｂは、記憶部１１Ｂ、通信部１２Ｂ、表示部１３Ｂ、入力部１４Ｂ、読出部１５Ｂおよび書込部１６Ｂとそれぞれ接続されている。なお、読出部１５Ｂおよび書込部１６Ｂについては、図示のように端末装置１Ｂ本体に有線接続するのではなく、端末装置１Ｂ本体とは別体のハンディータイプのリーダライタユニットとして構成すると共に、このリーダライタユニットと端末装置１Ｂ本体との間を無線通信路により接続するようにしてもよい。
【００２２】
樹木管理装置１Ａの制御部１０Ａおよび端末装置１Ｂの制御部１０Ｂは、それぞれ、プログラムの命令を解釈し、実行するためのもので、例えばＣＰＵ（Central Processing Unit ）により構成される。樹木管理装置１Ａの記憶部１１Ａには、樹木管理プログラム１１Ａ−１と、樹木データベース１１Ａ−２とが記憶されている。端末装置１Ｂの記憶部１１Ｂには、端末プログラム１１Ｂ−１が記憶されている。
【００２３】
樹木管理プログラム１１Ａ−１は、樹木２を管理するための一連の手順を制御部１０Ａに実行させるためのものであり、端末プログラム１１Ｂ−１は、樹木２に付された電子タグ３（図４参照）へのデータアクセスや樹木管理装置１Ａとの間の通信を行うための一連の手順を制御部１０Ｂに実行させるためのものである。なお、これらの一連の手順の詳細については後述する。
【００２４】
電子タグ３は、情報を自由に読み書きすることが可能なメモリＩＣ（図示せず）と、無線アンテナ（図示せず）とを含んで構成された微小なチップであり、端末装置１Ｂの読出部１５Ｂおよび書込部１６Ｂとの間で所定の周波数の電磁波を利用した通信を行うことにより、メモリＩＣ内の情報を読み出したり、メモリＩＣ内に情報を書き込んだりすることができるようになっている。樹木２に付された個々の電子タグ３には、後述の樹木管理情報２０が記憶されている。
【００２５】
この電子タグ３は、図４に示したように、樹木２の幹のうち枝の無い箇所に設けられていればよいが、設置のし易さや設置後のいたずら防止を考慮すると、樹木２の幹のうち枝の無い箇所であって、立っている人の目線よりも高い箇所、例えば地表からの高さＨが２ｍぐらいの箇所に設けられていることが好ましい。電子タグ３は、図５に示した手順で上記した箇所に設置されるのが好ましい。まず、図５（Ａ）に示したように、樹木２の幹に対して、樹皮部２Ｂを貫通して木質部２Ａに達する深さの穴をドリルなどで開けることにより、穴部４を設ける。なお、木質部２Ａにはその中心部分に相対的に硬い心材があり、中心部分の周縁部に相対的に軟らかい辺材があるが、樹木２の種類によって心材および辺材の木質部２Ａに占める割合が異なる。そこで、例えば、辺材が比較的厚いときは辺材の中途に達する深さの穴部４を設け、辺材が比較的薄いときは心材に達する深さの穴部４を設けることが好ましい。次に、図５（Ｂ）に示したように、穴部４の内面を樹脂５で覆う。この樹脂５は、雨などの外部条件によって穴部４が腐るのを防止すると共に、電子タグ３を穴部４に固定するためのものである。続いて、図５（Ｃ）に示したように、つばの付いたＴ字状の電子タグ３を穴部４に挿入する。このように、電子タグ３につばを設けたのは、電子タグ３が樹皮部２Ｂで覆われて外部から電子タグ３を視認することができなくなるのを防止するためである。ただし、電子タグ３のつばが樹皮部２Ｂの表面と接しているとその効果が薄れるので、電子タグ３のつばと樹皮部２Ｂの表面との間隔Ｄを約１５ｍｍにしておくことが好ましい。
【００２６】
なお、この電子タグ３は、入力された情報を先に記録されている情報に追加して記録すると共に、一度書き込んだ情報を削除することができない機構を有していることが好ましい。これにより、電子タグ３に記録された情報が誤って消去されたり、改ざんされる虞がなくなる。
【００２７】
このように、一旦取り付けられた電子タグ３が樹木２から外れたり、電子タグ３に記録された情報が改ざんされることのないようにすることにより、トレーサビリティに係る情報の信頼性を確保することが可能となる。
【００２８】
樹木管理装置１Ａの樹木データベース１１Ａ−２は、個々の樹木２に関する樹木管理情報２０を整理・統合し、検索しやすくしたファイルである。この樹木管理情報２０は、例えば、図６（Ａ）に示したように、各種樹木２の特徴を特定することの可能な情報、具体的には、識別子２１、管理者２２、樹種２３、樹生地２４および育成状況２５を含んでいる。
【００２９】
ここで、識別子２１は、個々の樹木２を識別するためのものであり、数字、文字、記号等の少なくとも１つまたはそれらを組み合わせた固有符号である。管理者２２は、その樹木２を管理する者を特定するためのものであり、例えば、その樹木２を管理する者の識別番号や、氏名などを含んで構成される。なお、管理者２２には、実際に樹木２を管理している者の他、樹木２の所有者なども含まれる。樹種２３とは、樹木２の種類のことであり、特に、楠、けやき、檜などの中高木を対象としている。樹生地２４とは、植樹された場所を特定するためのものであり、例えば、識別番号や、所在地（○○県○○市○○町○○団地○○号棟前など）などを含んで構成される。育成状況２５とは、各種樹木２の生育状態を特定することの可能な情報、例えば、樹齢２６、幹周り２７、樹高２８、樹冠２９および不良内容３０を含むものである。不良内容３０とは、例えば、根が弱っているとか、樹冠が広がり過ぎているとか、虫に食われて朽ちかけているなど、樹木２の不健全な態様を特定するためのものであり、例えば、識別番号や、不健全な態様をキーワードなどで簡潔に説明したものを含んで構成される。
【００３０】
このような樹木２に関する詳細な情報（樹木管理情報２０）が、樹木２に付された電子タグ３にも記憶されていることから、集中豪雨や台風、地震などにより、仮に樹木２が倒壊したり、流されたりしても、元々どこに植えられていた樹木２かを容易に判別することができる。これにより、固定資産の紛失を防止することができる。また、仮に災害などにより樹木管理装置１Ａが使用不能となった場合であっても、端末装置１Ｂを用いることにより、現地で直接、倒壊したり流された樹木２に付された電子タグ３から樹木管理情報２０を読み出すことができる。これにより、固定資産を速やかに特定することができる。
【００３１】
樹木管理装置１Ａの通信部１２Ａと端末装置１Ｂの通信部１２Ｂとは、通信網を介して相互に通信可能である。具体的には、樹木管理装置１Ａにおいて生成された作業指示情報３１が、通信部１２Ａから端末装置１Ｂの通信部１２Ｂへ送信されると共に、端末装置１Ｂにおいて読出部１５Ｂから読み出された樹木ＩＤ２１が、入力部１４Ｂから入力された報告情報３４と共に、通信部１２Ｂから樹木管理装置１Ａの通信部１２Ａへ送信されるようになっている。
【００３２】
また、作業指示情報３１は、樹木データベース１１Ａ−２に記憶されている樹種２３、樹生地２４および育成状況２５に基づいて生成される情報であり、図６（Ｂ）に示したように、通常作業指示情報３２および点検作業指示情報３３を含む。ここで、通常作業指示情報３２とは、樹木２を健全に保つために通常行われる定型作業に関する情報、例えば、水やりや、枝打ち、肥料の供給などの作業に関する情報のことである。点検作業指示情報３３とは、樹木２に不健全な箇所がないか確かめるための定型作業に関する情報、例えば、根腐れや幹の内部の腐りの有無の確認や、幹周り，樹高、および樹冠の計測、外傷や虫食いの有無の確認などの作業に関する情報のことである。これらの作業手順などについては後述する。
【００３３】
樹木管理装置１Ａの表示部１３Ａおよび端末装置１Ｂの表示部１３Ｂは、それぞれ、樹木管理プログラム１１Ａ−１または端末プログラム１１Ｂ−１により処理された結果やデータ入力用のダイヤログ等を表示するためのもので、例えば液晶表示装置等のディスプレイデバイスで構成される。樹木管理装置１Ａの入力部１４Ａおよび端末装置１Ｂの入力部１４Ｂは、それぞれ、ユーザからの情報をデジタルデータとして樹木管理装置１Ａまたは端末装置１Ｂ内部に取り込むための装置で、例えばキーボードやマウス、スキャナなどから構成される。端末装置１Ｂの読出部１５Ｂは、例えば電磁波を利用して、個々の電子タグ３に記憶されている樹木管理情報２０を読み出すためのものである。書込部１６Ｂは、例えば電磁波を利用して、個々の電子タグ３に樹木管理情報２０を記憶させるためのものである。
【００３４】
続いて、図７ないし図１０を参照して、本実施の形態の樹木管理装置１Ａおよび端末装置１Ｂの動作について説明する。なお、説明の便宜上、（Ａ）樹木２を固定資産として登録する手順、（Ｂ）樹木２を管理する手順に分けて説明する。ここで、図７ないし図１０は、樹木管理装置１Ａまたは端末装置１Ｂにおける動作の流れを、樹木管理者１ａ、樹木取扱業者１ｂによる操作や処理と共に表したものである。
【００３５】
（Ａ：樹木２を固定資産として登録する手順、図７）
まず、樹木管理者１ａが、樹木管理装置１Ａにおける樹木管理プログラム１１Ａ−１の起動と、端末装置１Ｂにおける端末プログラム１１Ｂ−１の起動とを要求する（ステップＳ１）。すると、樹木管理プログラム１１Ａ−１が制御部１０Ａによって立ち上げられると共に（ステップＳ２）、端末プログラム１１Ｂ−１が制御部１０Ｂによって立ち上げられる（ステップＳ３）。次に、端末装置１Ｂに対して樹木２の固定資産としての登録を要求する（ステップＳ４）。すると、端末装置１Ｂの端末プログラム１１Ｂ−１から樹木管理情報２０の入力を要求される（ステップＳ５）。なお、端末プログラム１１Ｂ−１の立ち上げ時以外の任意の時に、樹木管理者１ａからの指示により樹木２の固定資産としての要求できるようにしてもよい。また、上記した一連の手続きを行うことのできる権限を、上記したように樹木管理者１ａに与えてもよいし、樹木取扱業者１ｂに与えてもよい。
【００３６】
次に、上記した一連の手続きを行うことのできる者（ここでは樹木管理者１ａ）は、樹木２の所定の箇所に電子タグ３を固定する。その後、その固定した電子タグ３に書き込むべき樹木管理情報２０を入力部１４Ｂに入力すると共に、書込部１６Ｂをその電子タグ３に近づけたのち、書込コマンドを入力する（ステップＳ６）。すると、入力部１４Ｂに入力した樹木管理情報２０は、書込部１６Ｂを介して電子タグ３に書き込まれると共に、通信網を介して樹木管理装置１Ａに送信される（ステップＳ７）。
【００３７】
その後、端末装置１Ｂから送信されてきた樹木管理情報２０は、樹木管理装置１Ａの制御部１０Ａによって、樹木２ごとにデータベース１１Ａ−２に記憶される（ステップＳ８）。
【００３８】
次に、樹木管理情報２０を通信網上にアップロードすることを要求する（ステップＳ９）。すると、樹木管理情報２０が樹木管理装置１Ａによって通信網上にアップロードされる（ステップＳ１０）。このようにして、樹木２が固定資産として登録される。このようにして、樹木２を管理するにあたっての準備が完了する。
【００３９】
（Ｂ：樹木２を管理する手順、図８〜図１０）
樹木管理者１ａが通信網上に公開された樹木２の樹木管理情報２０にアクセスする（ステップＳ１１）と、樹木管理装置１Ａによって、樹木管理者１ａからの入力に応じて樹木管理者１ａに樹木管理情報２０の提供が行われる（ステップＳ１２）。
【００４０】
樹木管理者１ａは、提供された情報をもとに定型作業を行う対象の樹木２を選択する（ステップＳ１３）。すると、選択された樹木２の識別子２１が樹木管理装置１Ａの制御部１０Ａによって受け付けられる（ステップＳ１４）。その後、データベース１１Ａ−２に記憶された樹木管理情報２０のうち、受け付けた識別子２１に対応する樹木２の樹木管理情報２０のうち樹種２３、樹生地２４および育成状況２５に基づいて作業指示情報３１が生成される（ステップＳ１５）。この作業指示情報３１には、通常作業に関する手順と、点検作業に関する手順とが含まれている。通常作業に関する内容としては、例えば、各種樹木２に適した水やりや、枝打ち、肥料の供給などが含まれており、点検作業に関する内容としては、例えば、幹周り，樹高、および樹冠の計測手順や、各種樹木２に特有の根腐れおよび幹の内部の腐りの有無の確認手順、外傷および虫食いの有無の確認手順などが含まれている。なお、目視での確認が困難な作業、例えば、根腐れおよび幹の内部の腐りの有無の確認は、例えば、患部と思われる部位に超音波を当てたり、そのような部位の温度を計測することにより、非破壊で行うことが可能である。
【００４１】
次に、生成された作業指示情報３１は、樹木管理装置１Ａの制御部１０Ａによって、樹木取扱業者１ｂの保有する端末装置１Ｂに送信されたのち（ステップＳ１６）、樹木取扱業者１ｂの保有する端末装置１Ｂによってそれぞれ受信されると共に、出力される（ステップＳ１７）。樹木取扱業者１ｂは、出力されたこれらの作業指示情報３１に基づいて作業を行う（ステップＳ１８）。
【００４２】
樹木取扱業者１ｂは、所定の作業を行ったのち、樹木２の幹に固定された電子タグ３に書込部１６Ｂを近づけて、入力部１４Ｂに登録要求コマンドを入力する（ステップＳ１９）。すると、樹木取扱業者１ｂの名称、作業内容および作業日時が電子タグ３に書き込まれる（ステップＳ２０）と共に、樹木管理装置１Ａに送信される（ステップＳ２１）。ここで、作業内容には、点検作業によって新たに得られた育成状況２５が含まれている。
【００４３】
その後、送信された樹木取扱業者１ｂの名称、作業内容および作業日時が樹木管理装置１Ａによって受信されると共に、データベース１１Ａ−２に記憶される（ステップＳ２２）。
【００４４】
続いて、データベース１１Ａ−２において更新された育成状況２５と、その育成状況２５に対応する樹木の樹種２３および樹生地２４とに基づいて、その樹木２の危険度の高さが判定される（ステップＳ２３）。ここで、危険度とは、例えば、根が弱っていたり、虫に食われたりして、いまにも倒れそうになっている樹木や、樹冠が広がりすぎて台風などの強風に煽られて倒壊する虞のある樹木など、地域の住民に危険を及ぼす虞がどの程度あるかを、被害規模や災害発生時期などに基づいて数段階に分類されたものである。つまり、育成状況２５と、その育成状況２５に対応する樹木の樹種２３および樹生地２４を、過去の経験則や学術データなどに照らし合わせて被害規模や災害発生時期などを予測し、その予測結果に基づいて、危険度の大きさが判定される。
【００４５】
この結果、危険度が高くないと判定されると、樹木２の不良内容３０に応じた再点検作業指示情報３４が生成され、その生成された再点検作業指示情報３４が作業指示情報３１として端末装置１Ｂに送信される（ステップＳ２４）。一方、危険度が高いと判定されると、樹木２の不良内容３０に応じた補修作業指示情報３５が生成され、その生成された補修作業指示情報３５が作業指示情報３１として端末装置１Ｂに送信される（ステップＳ２５）。
【００４６】
その後、作業指示情報３１が端末装置１Ｂによって受信されると共に、出力される（ステップＳ２６）。樹木取扱業者１ｂは、出力されたこれらの作業指示情報３１に基づいて作業を行う（ステップＳ２７）。
【００４７】
樹木取扱業者１ｂは、所定の作業を行ったのち、樹木２の幹に固定された電子タグ３に書込部１６Ｂを近づけて、入力部１４Ｂに登録要求コマンドを入力する（ステップＳ２８）。すると、樹木取扱業者１ｂの名称、作業内容および作業日時が電子タグ３に書き込まれる（ステップＳ２９）と共に、樹木管理装置１Ａに送信される（ステップＳ３０）。ここで、作業内容には、再点検作業または補修作業の結果が含まれている。
【００４８】
その後、送信された樹木取扱業者１ｂの名称、作業内容および作業日時が樹木管理装置１Ａによって受信されると共に、データベース１１Ａ−２に記憶される（ステップＳ３１）。このようにして、各種樹木２が管理される。
【００４９】
このように、本実施の形態の樹木管理装置１Ａ、樹木管理プログラム１１Ａ−１、樹木管理方法によれば、各種樹木２の樹木管理情報２０の管理を樹木管理装置１Ａのデータベース１１Ａ−２を用いて行うようにしたので、樹木取扱業者１ｂ−ｘは樹木管理情報１Ａから送信されてきた作業指示情報３１に基づいて作業を行うことができる。これにより、熟練従事者でない者であっても樹木２を取り扱う業務に容易に参加したり従事したりすることが可能となる。
【００５０】
このように、本実施の形態の樹木管理装置１Ａ、樹木管理プログラム１１Ａ−１および樹木管理方法によれば、各種樹木２の樹木管理情報２０の管理を樹木管理装置１Ａのデータベース１１Ａ−２を用いて行うようにしたので、樹木取扱業者１ｂは樹木管理情報２０から送信されてきた作業指示情報３１に基づいて作業を行うことができる。これにより、樹木２の管理を適切に行うことが可能となるので、例えば、根が弱っていたり、虫に食われたりして、いまにも倒れそうになっている樹木や、樹冠が広がりすぎて台風などの強風に煽られて倒壊する虞のある樹木など、地域の住民に危険を及ぼす虞のある樹木を、災害が発生するまで何もせずにそのまま放置することをなくすることが可能となる。
【００５１】
特に、育成状況２５が更新される度に、樹木２の危険度を判定し、再点検作業指示情報３４または補修作業指示情報３５を作業指示情報３１として端末装置１Ｂに送信するようにした場合は、地域の住民に危険を及ぼす虞のある樹木の安全性の点検や、危険個所の補修を速やかに行うことが可能となるので、地域の住民に危険を及ぼす虞のある樹木を、災害が発生するまで何もせずにそのまま放置することをほぼ完全になくすることが可能となる。
【００５２】
その結果、地域の住民に危険が及ぶ虞がなくなり、地域の住民が不安な気持ちで生活を送ることもなくなるので、地域住民の安心・安全を確保することが可能となる。
【００５３】
以上、上記実施の形態を挙げて本発明を説明したが、本発明はこれに限定されるものではなく、種々の変形が可能である。
【００５４】
例えば、上記実施の形態では、特定の樹木取扱業者１ｂだけが端末装置１Ｂを保有していたが、地域の住民が読み出し専用に設定された端末装置１Ｂを常備するようにしてもよい。その場合は、地域の住民は、その地域に植えられた樹木２が、いつ植えられたものなのか、どのような樹種なのか、または、どのような育成状況なのか、などをいつでも確認することが可能となる。これにより、地域の住民は、樹木管理者１ａの活動状況や樹木２の安全性などを確かめることができる。また、地域の住民が読み出しだけでなく書き込みも可能に設定された端末装置１Ｂを常備するようにしてもよい。その場合は、地域の住民が樹木取扱業者１ｂに代わって、地域の樹木２を管理することも可能となる。
【００５５】
これにより、地域の住民に危険を及ぼす虞のある樹木を、地域の住民が主体的に発見することができるので、樹木取扱業者１ｂと合わせて２重チェックが可能となる。その結果、地域の住民に危険が及ぶ虞がより一層なくなり、地域の住民が不安な気持ちで生活を送ることもなくなるので、地域住民の安心・安全をより一層確保することが可能となる。
【００５６】
また、このように、地域の住民に管理の一部を任せることにより、管理に係る費用を削減することも可能となり、加えて、地域の住民との間で樹木２に対する理解を深めることも可能となる。これにより、樹木２に関する地域の住民とのトラブルをなくすることも可能となる。さらに、間樹木２の管理を通して、地域のつながりが深まるので、そのような地域での犯罪が低減することも期待できる。
【００５７】
また、樹木２に付する記憶媒体を電子タグ３の代わりに、２次元コードとしてもよい。ただし、一旦生成された２次元コードは情報を読み出すことができても、書き込むことができないので、以下に示すような手順で情報の管理を行うことが必要となる。
【００５８】
まず、２次元コードの付される樹木に関する樹木管理情報２０の保管場所を示す情報、例えば樹木データベース１１Ａ−１のＵＲＬ（Uniform Resource Locator）の文字列を変換して生成した２次元コードを樹木２に付しておく。次に、樹木管理情報情報２０を新規登録する場合や、更新する場合は、市販されている携帯電話を端末装置１Ｂとして利用し、その携帯電話の２次元コード読み出し機能によって樹木２に付された２次元コードを解読すると共に解読したアドレスにアクセスし、例えば、アクセス先の樹木データベース１１Ａ−１に樹木管理情報情報２０の新規登録や更新を行う。また、樹木管理情報情報２０を確認したい場合は、上記と同様に、携帯電話の２次元コード読み出し機能によって樹木２に付された２次元コードを解読すると共に解読したアドレスにアクセスし、例えば、アクセス先の樹木データベース１１Ａ−１の樹木管理情報情報２０を読み出す。
【００５９】
これにより、上記実施の形態のような本システム専用の端末装置１Ｂを用意する必要がなくなるので、樹木管理システムの構築に要する費用や時間を大幅に削減することができる。また、携帯電話を端末装置１Ｂとして利用することのできる手軽さから、地域の住民は、樹木管理者１ａの活動状況や樹木２の安全性などをより一層容易に確かめることができ、また、樹木取扱業者１ｂに代わって、地域の樹木２をより一層容易に管理することができる。その結果、地域の住民に危険が及ぶ虞がなくなり、地域の住民が不安な気持ちで生活を送ることもなくなるので、地域住民の安心・安全を確保することが可能となる。
【００６０】
また、樹木２に付する記憶媒体として電子タグ３と２次元コードとを併設してもよい。これにより、予算や導入期間の都合などで上記実施の形態のような本システム専用の端末装置１Ｂを導入することの困難な樹木取扱業者１ｂは、携帯電話を利用したシステムを選択することにより、低予算かつ短期間で本システムを導入することができる。このように、電子タグ３と２次元コードとを併設して本システムに柔軟性を持たせることにより、どのような樹木取扱業者１ｂであっても本システムに容易に参加することができる。
【図面の簡単な説明】
【００６１】
【図１】本発明の一実施の形態に係る樹木管理方法が適用される樹木管理システムの全体構成図である。
【図２】図１における樹木管理装置の概略構成図である。
【図３】図１における端末装置の概略構成図である。
【図４】樹木と電子タグとの位置関係を説明するための模式図である。
【図５】電子タグを樹木に挿入する手順を説明するための断面構成を示す図である。
【図６】樹木管理情報および作業指示情報を説明するための関係図である。
【図７】樹木管理システムの動作を説明するための流れ図である。
【図８】樹木管理システムの他の動作を説明するための流れ図である。
【図９】図８に続く流れ図である。
【図１０】図９に続く流れ図である。
【符号の説明】
【００６２】
１Ａ…樹木管理装置、１ａ…樹木管理者、１Ｂ…端末装置、１ｂ…樹木取扱業者、２…樹木、２Ａ…木質部、２Ｂ…樹皮部、３…電子タグ、４…穴部、５…樹脂、１０Ａ，１０Ｂ…制御部、１１Ａ，１１Ｂ…記憶部、１１Ａ−１…樹木データベース、１１Ａ−２…樹木管理プログラム、１１Ｂ−１…端末プログラム、１２Ａ，１２Ｂ…通信部、１３Ａ，１３Ｂ…表示部、１４Ａ，１４Ｂ…入力部、１５Ｂ…読出部、１６Ｂ…書込部、２０…樹木管理情報、２１…識別子、２２…管理者、２３…樹種、２４…樹生地、２５…育成状況、２６…樹齢、２７…幹周り、２８…樹高、２９…樹冠、３０…不良内容、３１…作業指示情報、３２…通常作業指示情報、３３…点検作業指示情報、３４…再点検作業指示情報、３５…補修作業指示情報。
【図１】
2007105030.tif 000003
【図２】
2007105030.tif 000004
【図３】
2007105030.tif 000005
【図４】
2007105030.tif 000006
【図５】
2007105030.tif 000007
【図６】
2007105030.tif 000008
【図７】
2007105030.tif 000009
【図８】
2007105030.tif 000010
【図９】
2007105030.tif 000011
【図１０】
2007105030.tif 000012